(57)【要約】本発明は、携帯端末装置（２）が収納される収納部（５）と、収納部（５）に支持され収納部（５）に収納された携帯端末装置（２）を覆う第１のカバー片（６ａ）と、第１のカバー片（６ａ）に設けられたアンテナ（１１）と、を備える。
2013021791.tif 000002
【特許請求の範囲】
【請求項１】
電子機器が収納される収納部と、
前記収納部に支持され、前記収納部に収納された前記電気機器を覆うカバー部と、
前記カバー部に設けられたアンテナと、
を備える、電子機器の収納ケース。
【請求項２】
前記アンテナは、前記カバー部の外縁に沿って延ばされている、請求項１に記載の電子機器の収納ケース。
【請求項３】
前記収納部は、前記収納部に収納された前記電子機器と前記アンテナとを接続するための接続端子を有する、請求項１または２に記載の電子機器の収納ケース。
【請求項４】
放送を受信するためのチューナを備える、請求項１ないし３のいずれか１項に記載の電子機器の収納ケース。
【請求項５】
外部電源から電力が供給される外部端子と、
前記外部端子に電気的に接続され、前記収納部に収納された前記電子機器を充電するための充電端子と、
を備える、請求項１ないし４のいずれか１項に記載の電子機器の収納ケース。
【請求項６】
前記電子機器に電力を供給するためのバッテリを備え、
前記バッテリは、前記外部端子と前記充電端子に電気的に接続されている、請求項５に記載の電子機器の収納ケース。
【請求項７】
前記カバー部は、前記収納部の底面側に折り返し可能に設けられ、
前記収納部の前記底面側に折り返された前記カバー部によって、前記収納部の前記底面を水平面に対して傾斜させた状態で自立させることが可能に構成されている、請求項１ないし６のいずれか１項に記載の電子機器の収納ケース。
【請求項８】
前記カバー部は、弾性力によって前記収納部から離れる方向に付勢されている、請求項１ないし７のいずれか１項に記載の電子機器の収納ケース。
【請求項９】
前記カバー部は、前記収納部に重ねられた状態で、前記収納部の深さ方向に直交する平面において、該カバー部の外縁が前記収納部の側面よりも外側に突出している、請求項１ないし８のいずれか１項に記載の電子機器の収納ケース。
【請求項１０】
前記電子機器が前記収納部に収納された状態で、前記収納部の深さ方向に直交する平面における、前記電子機器の重心位置と前記収納部の重心位置とが一致する、請求項１ないし９のいずれか１項に記載の電子機器の収納ケース。
【請求項１１】
前記電子機器が前記収納部に収納された状態で、前記収納部の深さ方向に直交する平面における、前記電子機器の重心位置と前記収納部の重心位置とが、前記収納部の中心位置に対して点対称に配置されている、請求項１ないし９のいずれか１項に記載の電子機器の収納ケース。
【請求項１２】
タッチパネルディスプレイを備える前記電子機器が前記収納部に収納される、請求項１ないし１１のいずれか１項に記載の電子機器の収納ケース。
【発明の詳細な説明】
【技術分野】
【０００１】
本発明は、携帯端末装置等の電子機器を収納するための収納ケースに関する。
【背景技術】
【０００２】
情報を表示する表示パネルとしては、タッチパネルを備えた、いわゆるスマートフォンやタブレットＰＣ（パーソナルコンピュータ）等の携帯端末装置が知られている。この種の携帯端末装置の携帯時には、表示パネル等を保護するための収納ケースとして、いわゆるキャリングケースが用いられている。【０００３】
本発明に関連する収納ケースとしては、携帯端末装置を収納するケース本体と、携帯端末装置の表示パネルを覆うケース蓋と、を備える構成が開示されている（例えば特許文献１参照）。ケース本体には、携帯端末装置が収納された状態で、携帯端末装置の充電端子を収納ケースの外部に露出させる切り欠き部が設けられている。このため、収納ケースは、ケース本体から携帯端末装置を取り出すことなく、充電や外部機器との情報の授受を行うためのクレードルに対して、携帯端末装置を電気的に接続することが可能に構成されている。
【先行技術文献】
【特許文献】
【０００４】
【特許文献１】特開２００２−１６４９８５号公報
【発明の概要】
【発明が解決しようとする課題】
【０００５】
ところで、携帯端末装置がアンテナを備えていない場合や、携帯端末装置に内蔵されたアンテナの受信感度が乏しく、通信の品質や信頼性を高めたい場合には、携帯端末装置と一緒にアンテナユニットを携帯することが必要になる。このような場合、携帯端末装置とアンテナユニットとを個別に持ち運ぶことになり、携帯性が乏しい。また、アンテナユニットの損傷を防ぐために、アンテナユニットを収納する収納ケースも携帯する必要がある。【０００６】
また、アンテナユニットを使用する場合には、アンテナユニットと携帯端末装置とを接続する作業や、アンテナユニットを配置するスペースを用意することが必要であり、アンテナユニットの使用時の作業が煩わしかった。【０００７】
そこで、本発明は、上記関連する技術の課題を解決することができる電子機器の収納ケースを提供することを目的とする。本発明の目的の一例は、電子機器の携帯時の利便性を高めると共に、通信の品質及び信頼性を向上することができる電子機器の収納ケースを提供することにある。
【課題を解決するための手段】
【０００８】
上述した目的を達成するため、本発明に係る電子機器の収納ケースは、電子機器が収納される収納部と、収納部に支持され収納部に収納された電気機器を覆うカバー部と、カバー部に設けられたアンテナと、を備える。
【発明の効果】
【０００９】
本発明によれば、電子機器の携帯時の利便性を高めると共に、通信の品質及び信頼性を向上することができる。
【図面の簡単な説明】
【００１０】
【図１】実施形態の収納ケースを示す斜視図である。
【図２】実施形態の収納ケースのカバー部を説明するための斜視図である。
【図３】実施形態の収納ケースに収納される携帯端末装置を示す斜視図である。
【図４】実施形態の収納ケースに収納される携帯端末装置の背面側から示す斜視図である。
【図５】実施形態の収納ケースの使用状態の一例を示す模式図である。
【発明を実施するための形態】
【００１１】
以下、本発明の具体的な実施形態について、図面を参照して説明する。
【００１２】
実施形態の収納ケース１は、電子機器としての携帯端末装置を収納して携帯時に携帯端末装置を保護するためのいわゆるキャリングケースとして用いられると共に、携帯端末装置の充電、及び外部機器との情報の授受を行うためのクレードルとして利用される。
【００１３】
図１に、実施形態の収納ケースの斜視図を示す。図２に、実施形態の収納ケースのカバー部を説明するための斜視図を示す。
【００１４】
図１及び図２に示すように、実施形態の収納ケース１は、携帯端末装置２が収納される収納部５と、収納部５に支持され、収納部５に収納された携帯端末装置２を覆うカバー部６と、を備えている。
【００１５】
収納部５は、携帯端末装置２の表示面に対向する背面側を支持する凹部５ａを有している。凹部５ａは、携帯端末装置２が、その外周部の全周に亘って収納される大きさに形成されている。凹部５ａの底面は、後述する携帯端末装置２の背面側の湾曲形状に対応する形状に形成されている。
【００１６】
カバー部６は、弾性を有する樹脂材料によって形成されている。カバー部６は、収納部５に収納された携帯端末装置２の表示面側を覆う第１のカバー片６ａと、収納部５の底面を覆う第２のカバー片６ｂと、を有している。
【００１７】
第１のカバー片６ａの一辺は、収納部５に固定されており、収納部５の凹部５ａを開閉自在に設けられている。第１のカバー片６ａは、収納部５に重ねられて凹部５ａを閉じた状態で、収納部５の深さ方向（収納部５に収納された携帯端末装置２の厚み方向）に直交する平面において、第１のカバー片６ａの外縁が、収納部５の側面よりも外側に突出するように構成されている。第２のカバー片６ｂは、収納部５の底面に固定されている。第２のカバー片６ｂも第１のカバー片６ａと同様に、収納部５の深さ方向に直交する平面において、第２のカバー片６ｂの外縁が、収納部５の側面よりも外側に突出するように構成されている。
【００１８】
すなわち、第１及び第２のカバー片６ａ，６ｂの外形が、収納部５の外形よりも大きく形成されることによって、収納ケース１を誤って落下させた場合であっても、第１及び第２のカバー片６ａ，６ｂの外縁が、収納部５に加わる衝撃を吸収する緩衝部として機能する。そのため、第１及び第２のカバー片６ａ，６ｂの外縁は、収納ケース１に収納された携帯端末装置２や収納部５を保護することができる。
【００１９】
また、収納ケース１は、カバー部６の第１のカバー片６ａに設けられたアンテナ１１と、放送を受信するためのチューナ１２と、を備えている。アンテナ１１は、第１のカバー片６ａの内部に、第１のカバー片６ａの外縁に沿ってループ状に延ばされて配置されている。これによって、アンテナ１１は、所望の利得が得られる長さが確保されている。
【００２０】
また、上述したように収納部５の側面よりも外側に突出している、第１のカバー片６ａの外縁に、アンテナ１１が設けられたことによって、携帯端末装置２の筐体が導電性を有する金属材料等で形成された場合であっても、アンテナ１１の使用時に、導電性を有する筐体から、アンテナ１１を離すことが可能になり、アンテナ１１の利得を高めることができる。
【００２１】
加えて、第１のカバー片６ａの外縁に沿って設けられたアンテナ１１によって、上述のように、収納ケース１を落下させた場合における第１のカバー片６ａの衝撃吸収性が高められる。このため、収納ケース１に収納された携帯端末装置２や収納部５が損傷することを更に防止できる。
【００２２】
なお、本実施形態では、第１のカバー片６ａにアンテナ１１が配されたが、この構成に限定されるものではない。例えば、第１のカバー片６ａに複数のアンテナが配される構成や、第２のカバー片６ｂに別のアンテナが設けられる構成によって、ダイバーシティ方式が用いられてもよく、通信の品質や信頼性を更に高めることができる。ダイバーシティ方式を用いる場合には、矩形状の第１のカバー片６ａの各角部に沿って、Ｌ字状のアンテナがそれぞれ配されて構成されてもよい。
【００２３】
チューナ１２は、収納部５のスロット（不図示）に挿抜可能に構成されており、所望の放送に対応する別のチューナと差し替えることが可能にされている。
【００２４】
また、カバー部６の第１のカバー片６ａは、図２に示すように、カバー部６自身の弾性力によって収納部５から離れる方向に付勢されており、収納部５を覆う位置から自然に浮き上がるように構成されている。このため、携帯端末装置２の筐体が導電性を有する金属材料等で形成された場合であっても、アンテナ１１の使用時に、導電性を有する筐体から、アンテナ１１を離すことが可能になり、アンテナ１１の利得を高めることができる。
【００２５】
また、収納ケース１の収納部５は、携帯端末装置２に電力を供給するためのバッテリ１３と、収納部５に収納された携帯端末装置２とアンテナ１１とを接続するための接続端子１５と、を有している。また、収納部５は、図示しないがＡＣ−ＤＣアダプタ等を介して、外部電源から電力をバッテリ１３に供給するための外部端子１６を有している。接続端子１５は、外部端子１６に電気的に接続されており、収納部５に収納された携帯端末装置２に充電するための充電端子としても機能する。また、バッテリ１３は、接続端子１５と外部端子１６に電気的に接続されている。
【００２６】
また、収納ケース１の収納部５は、必要に応じて、例えば半導体メモリや、ＳＳＤ（Solid-State  Drive）等の情報記録装置が内蔵されてもよい。収納ケース１のカバー部６には、スピーカが内蔵されてもよい。
【００２７】
続いて、本実施形態の収納ケース１に収納される携帯端末装置２の構成例について簡単に説明する。図３に、実施形態の収納ケース１に収納される携帯端末装置２の斜視図を示す。図４に、実施形態の収納ケース１に収納される携帯端末装置２を背面側から見た斜視図を示す。
【００２８】
図３及び図４に示すように、携帯端末装置２は、表示パネル２１と、表示パネル２１が設けられた筐体２２と、を備える。表示パネル２１としては、例えば７インチから１０インチ程度のサイズのタッチパネルディスプレイが用いられている。携帯端末装置２は、表示パネル２１の表示面を覆うカバーを有していない、いわゆるピュアタブレット型のタブレットＰＣとして構成されている。
【００２９】
図４に示すように、筐体２２の、表示パネル２１に対向する背面２２ｂには、筐体２２の外縁部の両端から背面２２ｂの中央側に寄った位置に、一対の弧状膨出部２３が設けられている。一対の弧状膨出部２３は、背面２２ｂの中央部を挟んで連続して一体に形成されている。弧状膨出部２３は、筐体２２の外縁部の両端から背面２２ｂの中央側に寄った位置に、膨出形状の頂部が配置されている。
【００３０】
また、筐体２２の背面２２ａには、一対の弧状膨出部２３の間の中央部に弧状凹部２４が形成されており、弧状凹部２４から弧状膨出部２３を経て筐体２２の外縁部の両端まで連続する１つの曲面で構成されている。また、筐体２２の背面２２ａは、図４に示すように、弧状膨出部２３が並ぶ方向と直交する方向における、筐体２２の外縁部の両端が、背面２２ａの中央に連続するように面取りされることによって、面取り部２５が形成されている。
【００３１】
また、筐体２２の内部には、図示しないが、メイン回路基板及び内蔵バッテリが、表示パネル２１と平行に配置されている。メイン回路基板は、矩形状の表示パネル２１の長辺方向における一端側に配置されており、充填端子２７が設けられている。この充電端子２７は、収納ケース１のアンテナ１１との接続端子として機能すると共に、収納ケース１の外部端子１６に接続された外部機器との接続端子としても機能する。また、メイン回路基板には、図示しないが、ＵＳＢ（Universal  Serial  Bus）メモリが挿抜されるＵＳＢスロット、ＳＤメモリカードが挿抜されるＳＤカードスロット、ＳＩＭ(Subscriber  Identity  Module  Card）カードが挿抜されるＳＩＭカードスロットや、筐体２２の背面２２ｂ側にレンズが配されたカメラユニット、イヤホンジャック等が実装されている。
【００３２】
以上のように構成された携帯端末装置２は、使用時の持ち易さや安定性を高めるために、矩形状の表示パネル２１の長手方向における一端側が、この長手方向における他端側よりも重くなるように重量配分されている。
【００３３】
このため、実施形態の収納ケース１は、収納部５におけるバッテリ１３や実装部品の配置を工夫することによって、収納ケース１全体の重量バランスが調整されている。収納ケース１全体の重量バランスとしては、以下の２つの構成例が挙げられる。
【００３４】
第１の構成例としては、携帯端末装置２が収納部５に収納された状態で、収納部５の深さ方向に直交する平面における、携帯端末装置２の重心位置と収納部５の重心位置とが一致されている構成が挙げられる。
【００３５】
第２の構成例としては、携帯端末装置２が収納部５に収納された状態で、収納部５の深さ方向に直交する平面における、携帯端末装置２の重心位置と収納部５の重心位置とが、収納部５の中心位置に対して点対称に配置される構成が挙げられる。
【００３６】
このように、実施形態の収納ケース５は、必要に応じて重心位置が調整されることによって、収納部５に携帯端末装置２が収納された状態における持ち易さや安定性を向上することが可能になる。
【００３７】
なお、携帯端末装置２の重心位置に対して、カバー部６を含めた収納ケース１全体の重心位置が調整されてもよいことは勿論である。また、バッテリ１３は、収納部５の重心位置を調整するために、複数のバッテリ群に分割されて配置されてもよい。
【００３８】
以上のように構成された収納ケース１を使用する状態について説明する。
【００３９】
収納ケース１は、携帯時、収納部５に携帯端末装置２が収納されることで、第１のカバー片６ａによって表示パネル２１が覆われ、表示パネル２１等の損傷を防ぐことができる。
【００４０】
収納ケース１は、収納部５に携帯端末装置２が収納された状態で、収納部５の接続端子１５に、携帯端末装置２の充電端子２７が接続される。したがって、アンテナ１１を使用する場合には、収納部５に携帯端末装置２が収納された状態で、携帯端末装置２が充電端子２７及び接続端子１５を介してアンテナ１１と接続されており、携帯端末装置２を収納ケース１内から取り出すことなく、アンテナ１１を用いて通信を行うことができる。
【００４１】
本実施形態の収納ケース１を用いることによって、例えば、携帯端末装置２の充電を行いながら、アンテナ１１を利用して受信した放送データを携帯端末装置２のＳＤカード等に記録して、その後、ＳＤカードに記録された放送データを再生するといった使用が可能である。
【００４２】
また、携帯端末装置２の充電を行う場合には、収納ケース１に携帯端末装置２を収納し、外部端子１６を外部電源と接続することで、携帯端末装置２及びバッテリ１３を充電することができる。
【００４３】
加えて、携帯端末装置２の内蔵バッテリが消耗した場合には、収納ケース１を外部電源と接続することなく、収納ケース１に携帯端末装置２を収納するだけで、バッテリ１３が予備バッテリとして機能し、内蔵バッテリの充電を行ったり、携帯端末装置２の使用を続けたりすることが可能になる。
【００４４】
図５に、実施形態の収納ケース１の使用状態の一例の模式図を示す。実施形態の収納ケース１は、携帯端末装置２によって映像等を鑑賞する場合に、鑑賞用のいわゆる卓上スタンドとしても利用することができる。
【００４５】
図５に示すように、カバー部６の第１のカバー片６ａは、収納部５の底面側に折り返し可能に設けられている。収納ケース１は、収納部５の底面側に折り返された第１のカバー片６ａによって、収納部５の底面を水平面に対して傾斜させた状態で自立させることが可能に構成されている。これによって、携帯端末装置２が収納された収納ケース１を机上に置いた状態で、携帯端末装置２を手で支えることなく、表示パネル２１に表示された映像等を自由な姿勢で鑑賞することができる。
【００４６】
上述したように、実施形態の収納ケース１によれば、第１のカバー片６ａにアンテナ１１が設けられたことによって、携帯端末装置２とアンテナユニットを個別に持ち運ぶ必要がなくなり、携帯性を向上することができる。また、収納ケース１は、携帯端末装置２が収納部５に収納された状態で、アンテナ１１を使用した通信を行うことが可能になり、アンテナ１１の使用時に、携帯端末装置２とアンテナ１１の接続作業や、アンテナユニットを設置するスペースが不要になる。そのため、収納ケース１は、携帯端末装置２の携帯時の利便性を高めると共に、通信の品質及び信頼性を向上することができる。
【００４７】
加えて、収納ケース１によれば、携帯端末装置２が収納部５に収納された状態で、携帯端末装置２の充電を行うことが可能になり、携帯端末装置２の取り扱い時の利便性を高めることができる。
【００４８】
なお、本発明に係る電子機器の収納ケースは、携帯端末装置２としてのタブレットＰＣを収納する用途に限定されるものではなく、例えばＰＤＡ（Personal  Data  Assistant）、スマートフォンを含む携帯電話機、電子書籍端末、携帯ゲーム機等の他の電子機器に用いられて好適である。
【００４９】
以上、実施形態を参照して本発明を説明したが、本発明は上記実施形態に限定されるものでない。本発明の構成や詳細は、本発明のスコープ内で当業者が理解し得る様々な変更をすることができる。
【００５０】
この出願は、２０１１年８月１１日に出願された日本出願特願２０１１−１７６０２８を基礎とする優先権を主張し、その開示の全てをここに取り込む。
【符号の説明】
【００５１】
１  収納ケース
２  携帯端末装置
５  収納部
６  カバー部
６ａ  第１のカバー片
６ｂ  第２のカバー片
１１  アンテナ
１２  チューナ
１５  接続端子
１６  外部端子
【図１】
2013021791.tif 000003
【図２】
2013021791.tif 000004
【図３】
2013021791.tif 000005
【図４】
2013021791.tif 000006
【図５】
2013021791.tif 000007
【国際調査報告】
2013021791.tif 000008
2013021791.tif 000009
2013021791.tif 000010
2013021791.tif 000011